(57)【要約】【課題】            プラスチックや陶器等で一様に形作られた鉢は、使い勝手も良いが植物の植え付けは上面方向にのみであり、また地面や台等の上に設置することが多い。従って上面以外の方向へ無指向的に育成させることは困難であり、鑑賞においても楽しみが半減する。【解決手段】        鉢の形状を球面構造とし、下中心部より吊り下げる構造をとることで、鉢の形状を長期間維持し、無指向的に植物を育成させることが可能となる。更に、内部へ高分子ポリマーを配することで、水分の保持力も向上させることができ、プラスチックや陶器等を使用しないため、取扱い上の落下事故等に対しても、ある程度安全が確保できる。【選択図】  図１
0003132507.tif 000002
【実用新案登録請求の範囲】
【請求項１】
腐葉土を球状に固め、その腐葉土の周りを苔で全面を覆って構成される土壌部を、５mm幅間隔程度のビニール等で作られたネットであって、土壌部の直径に相当する内径をもつ筒状のネットの内部へ入れ、ネット下方部及び上方部を、土壌部とネットが緩まない程度に締め、熱溶着等で固定することで球面体を構成し、この球面体を麻紐等で縦方向へ等間隔で４本、横方向へは赤道上に１本縛り、形状を安定させ、さらに耐久性のあるビニール系又は麻紐等を使用し、球面体の上中心部となる縦方向へ等間隔で４本縛った紐の交差箇所から、下中心部となる下側の紐の交差箇所へ紐を貫通させ、下側の紐の交差箇所へ結びつけることで、吊り下げ可能なことを特徴とした球面形状の鉢植え。
【請求項２】
腐葉土を球状に固めた内部の中心部よりやや上方部へ高分子ポリマーを配したことを特徴とする、請求項１記載の鉢植え。
【請求項３】
吊り下げ用紐を、吊り下げる長さに応じて調整できるよう、ある程度の長さを持たせたことを特徴とする請求項１記載の鉢植え。
【考案の詳細な説明】
【技術分野】
【０００１】
本考案は植物の観賞用鉢植えに関する。
【背景技術】
【０００２】
観賞用植物の鉢は、プラスチックや陶器等で一様に形作られたものが一般的であり、一部においては鉢を使用せず、土を固めた上に苔等を育成させた球状のものに、植物を育成させたもの等が普及しているが、いずれの場合も地面や台などの上に固定設置して鑑賞するものである。
【考案の開示】
【考案が解決しようとする課題】
【０００３】
プラスチックや陶器等で一様に形作られた鉢は、使い勝手も良いが植物の植え付けは上面方向にのみ可能であり、上面以外の方向へ育成させることは困難となる。
【０００４】
一方、鉢を使用せず、土を固めた上に苔等を育成させた球状のものは、横方向への育成は可能と考えられるが、設置は鉢の場合と同様、置き場所が必要となり、成長の度合いによりバランスが崩れ、倒れることもありうる。
【０００５】
観賞用植物としてみた場合、鑑賞する方向により植物の様々な態様を楽しむことが出来るが、鉢植え等の場合、植物の植え付けが上方向中心であるため、ある一面からの鑑賞に留まることが多い。
【０００６】
自然に自生する植物が上方向へ育つことは植物本来の性質であり、鉢に植えた植物は自然を縮小して再現されたものと言える。しかし観賞用として楽しむ場合は、一方向への育成だけでなく、無指向的に育成されることで鑑賞の楽しみも増加するものであるが、前述した鉢等では無指向的に育成することはできない。
【課題を解決するための手段】
【０００７】
無指向的に植物を育成させるための鉢の形状としては、球面体がふさわしいが、置く事を前提とすると、底面部への種植えや育成ができなくなるため、球面体を吊り下げる構造をとることで可能となる。
【０００８】
腐葉土を球状に固め、その腐葉土の周りを苔で全面を覆って構成される土壌部を、５mm幅程度のビニール等で作られたネットであって、土壌部の直径に相当する内径をもつ筒状のネットの内部へ入れ、ネット下方部を熱溶着等で固定する。更にその上部を、土壌部とネットが緩まない程度に締めたうえで、熱溶着等で固定することで球面形状の鉢を構成する。また、球状に固めた腐葉土の内部で中心部よりやや上方部へ、高分子ポリマーを固まりとして入れることにより、より水分の保持力が向上できる。
【０００９】
球面形状を長期間維持するため、麻紐等で縦方向へ等間隔で４本縛り、横方向へは赤道上に１本縛り、形状を安定させる。横方向の紐は縦方向の紐８個所と縛りつけることで、更に形状が安定する。
【００１０】
球面体を吊り下げ構造とした場合、吊り下げ後長時間経過すると球面の形状が崩れてくることがあるため、吊り下げ方法としては下面から重量を支える構造とすることで、形状の崩れを防止できる。
【００１１】
吊り下げ用の紐は、耐久性のあるビニール系又は麻紐等を使用し、球面体の上中心部となる縦方向へ等間隔で４本縛った紐の交差箇所から、下中心部となる下側の紐の交差箇所へ紐を貫通させ、下側の紐の交差箇所へ結びつける。このとき上部の紐の交差箇所へは結ばない。ネットと土壌部との間に隙間が開くことを防止するためである。吊り下げ用紐の上部は、吊り下げる長さに応じて調整できる程度の長さを持たせ、吊り下げ用のフックを取り付ける。
【考案の効果】
【００１２】
この無指向的な球面体の鉢に、種子、植物の苗及び植物を植えることで、植物が全面方向に育ち、様々な方向から植物の育成状況や、植物及びその花等を観賞、楽しむことができる。
【００１３】
鉢の吊り下げや取り外し等の取扱いにおいて、落下等が起きた場合でも、柔らかい素材であるため、怪我をしにくい特徴も有する。特に高齢者には安全な鉢として提供することが可能となる。
【考案を実施するための最良の形態】
【００１４】
植物が芽吹く様子を鑑賞したい場合は種子を植えたもの、芽吹き後からの様子を鑑賞したい場合は苗を植えたもの、花や植物そのものを鑑賞したい場合は育成されたものを植え付けて提供するなど、植物を鑑賞する方の要望に合わせて提供が可能となる。
【実施例１】
【００１５】
部屋の中心部に近いところ等、鉢の周り空間があるところへ吊り下げることで、様々な角度から、様々な植物及びその成長過程を楽しむことができる。
【産業上の利用可能性】
【００１６】
飲食店、展示会場、応接室、企業の受付、その他祭事等人が集まる会場へ設置することで、会場の雰囲気づくりに貢献することも可能である。
【図面の簡単な説明】
【００１７】
【図１】正面図
【図２】底面図
【図３】断面図
【図４】工程図
【符号の説明】
【００１８】
１  腐葉土
２  苔
３  ネット
４  紐
５  高分子ポリマー
６  吊り紐
７  結び目
８  フック
９  本体
【図１】
0003132507.tif 000003
【図２】
0003132507.tif 000004
【図３】
0003132507.tif 000005
【図４】
0003132507.tif 000006
【手続補正書】
【提出日】平成19年4月11日(2007.4.11)
【手続補正１】
【補正対象書類名】実用新案登録請求の範囲
【補正対象項目名】請求項１
【補正方法】変更
【補正の内容】
【請求項１】
腐葉土を球状に固め、その腐葉土の周りを苔で全面を覆って構成される土壌部を、５mm幅間隔程度のビニールで作られたネットであって、土壌部の直径に相当する内径をもつ筒状のネットの内部へ入れ、ネット下方部及び上方部を、土壌部とネットが緩まない程度に締め、熱溶着で固定することで球面体を構成し、この球面体を麻紐で縦方向へ等間隔で４本、横方向へは赤道上に１本縛り、形状を安定させ、さらに耐久性のあるビニール又は麻紐を使用し、球面体の上中心部となる縦方向へ等間隔で４本縛った紐の交差箇所から、下中心部となる下側の紐の交差箇所へ紐を貫通させ、下側の紐の交差箇所へ結びつけることで、吊り下げ可能なことを特徴とした球面形状の鉢植え。
【手続補正２】
【補正対象書類名】明細書
【補正対象項目名】０００８
【補正方法】変更
【補正の内容】
【０００８】
腐葉土を球状に固め、その腐葉土の周りを苔で全面を覆って構成される土壌部を、５mm幅程度のビニールで作られたネットであって、土壌部の直径に相当する内径をもつ筒状のネットの内部へ入れ、ネット下方部を熱溶着で固定する。更にその上部を、土壌部とネットが緩まない程度に締めたうえで、熱溶着で固定することで球面形状の鉢を構成する。また、球状に固めた腐葉土の内部で中心部よりやや上方部へ、高分子ポリマーを固まりとして入れることにより、より水分の保持力が向上できる。
【手続補正３】
【補正対象書類名】明細書
【補正対象項目名】０００９
【補正方法】変更
【補正の内容】
【０００９】
球面形状を長期間維持するため、麻紐で縦方向へ等間隔で４本縛り、横方向へは赤道上に１本縛り、形状を安定させる。横方向の紐は縦方向の紐８個所と縛りつけることで、更に形状が安定する。
【手続補正４】
【補正対象書類名】明細書
【補正対象項目名】００１１
【補正方法】変更
【補正の内容】
【００１１】
吊り下げ用の紐は、耐久性のあるビニール又は麻紐を使用し、球面体の上中心部となる縦方向へ等間隔で４本縛った紐の交差箇所から、下中心部となる下側の紐の交差箇所へ紐を貫通させ、下側の紐の交差箇所へ結びつける。このとき上部の紐の交差箇所へは結ばない。ネットと土壌部との間に隙間が開くことを防止するためである。吊り下げ用紐の上部は、吊り下げる長さに応じて調整できる程度の長さを持たせ、吊り下げ用のフックを取り付ける。